(57)【要約】      （修正有）【課題】取り付けが容易で、取り付ける高さ及び太陽光発電パネルの取り付け角度が調整可能な高さ調整が容易な試験圃場用人物画像認識検出警報装置を提供する。【解決手段】高さ調整が容易な試験圃場用人物画像認識検出警報装置は、樹幹１及びランプ本体１０を備え、樹幹の右側に縦スライドレール２が連結され、縦スライドレールの上下両側に可動ロッド３が取り付けられ、可動ロッドの内側に位置決めロープ４が貫通され、縦スライドレールの右側に位置決めブロック６が取り付けられ、縦スライドレールの内側にランプホルダ７が取り付けられ、ランプ本体がランプホルダの右側に取り付けられ、中空柱１１の内側に連結ロッドが取り付けられ、ランプ本体の下端の右側に人物画像認識カメラ１６が設けられる。縦スライドレールを樹幹の外壁に当接させ、位置決めロープを可動ロッドに設けられた穴に通して樹幹に縛り付け、縦スライドレールの位置を固定する。【選択図】図１
0003234246.tif 000002
【実用新案登録請求の範囲】
【請求項１】
樹幹（１）及びランプ本体（１０）を備える高さ調整が容易な試験圃場用人物画像認識検出警報装置であって、
前記樹幹（１）の右側に縦スライドレール（２）が連結され、縦スライドレール（２）の上下両側に可動ロッド（３）が取り付けられ、可動ロッド（３）の内側に位置決めロープ（４）が貫通されるとともに、可動ロッド（３）の外側に押圧ブロック（５）が固定され、前記縦スライドレール（２）の右側に位置決めブロック（６）が取り付けられ、縦スライドレール（２）の内側にランプホルダ（７）が取り付けられ、ランプホルダ（７）の左側に縦ロッド（８）が取り付けられ、縦ロッド（８）の下端に操作レバー（９）が設けられ、前記ランプ本体（１０）がランプホルダ（７）の右側に取り付けられ、ランプホルダ（７）の上端に中空柱（１１）が固定され、中空柱（１１）の下部の外側に可動リング（１２）が取り付けられ、前記中空柱（１１）の内側に連結ロッド（１３）が取り付けられ、中空柱（１１）の上部の内側に取付柱（１４）が設けられ、取付柱（１４）の上端に太陽光発電パネル（１５）が取り付けられ、前記ランプ本体（１０）の下端の右側に人物画像認識カメラ（１６）が設けられ、人物画像認識カメラ（１６）の左側に温度検知センサー（１７）が取り付けられ、温度検知センサー（１７）の左側に警報ブザー（１８）が設けられていることを特徴とする高さ調整が容易な試験圃場用人物画像認識検出警報装置。
【請求項２】
前記押圧ブロック（５）が可動ロッド（３）の中心線に関して等角度で設けられ、可動ロッド（３）と縦スライドレール（２）とが旋回軸受を介して回転構造を構成し、押圧ブロック（５）と位置決めブロック（６）とが係合されていることを特徴とする請求項１に記載の高さ調整が容易な試験圃場用人物画像認識検出警報装置。
【請求項３】
前記押圧ブロック（５）と位置決めブロック（６）との縦断面の形状が直角台形であり、位置決めブロック（６）と縦スライドレール（２）とが摺動可能に連結されていることを特徴とする請求項１に記載の高さ調整が容易な試験圃場用人物画像認識検出警報装置。
【請求項４】
前記ランプホルダ（７）と縦スライドレール（２）とが摺動可能に連結され、ランプホルダ（７）と縦ロッド（８）とが螺着され、縦ロッド（８）と操作レバー（９）に設けられたかさ歯車同士が噛合していることを特徴とする請求項１に記載の高さ調整が容易な試験圃場用人物画像認識検出警報装置。
【請求項５】
前記中空柱（１１）と可動リング（１２）とが螺着され、可動リング（１２）と連結ロッド（１３）とが当接され、連結ロッド（１３）と中空柱（１１）とが摺動可能に連結されていることを特徴とする請求項１に記載の高さ調整が容易な試験圃場用人物画像認識検出警報装置。
【考案の詳細な説明】
【技術分野】
【０００１】
本考案は、人物画像認識検出警報の技術分野に関し、具体的には高さ調整が容易な試験圃場用人物画像認識検出警報装置に関する。
【背景技術】
【０００２】
農作物の栽培や植栽においては、農作物を試験栽培するように、通常試験圃場を設ける必要があり、試験圃場内の植物の環境への影響を防止するために、試験圃場の使用中において部外者の立ち入りを厳しく制限し、警報装置によって防止する必要がある。
【０００３】
従来の試験圃場用人物画像認識検出警報装置は、ポール固定具等を使用して固定して取り付け、専用の工具を使用して操作する必要があるので、取り付けが不便であり、取り付け完了後に、使用及びメンテナンスの必要に応じて装置の取り付け高さを調整することができず、そして、太陽光発電パネルを使用して装置に給電する際に、装置の取り付け位置及び太陽光の照射角度に応じて、太陽光発電パネルの取り付け角度を自由に調整することができない。
【考案の概要】
【考案が解決しようとする課題】
【０００４】
本考案の目的は、上記背景技術にて提起された問題点を解決するために、高さ調整が容易な試験圃場用人物画像認識検出警報装置を提供することにある。
【課題を解決するための手段】
【０００５】
本考案の技術的手段は、樹幹及びランプ本体を備える高さ調整が容易な試験圃場用人物画像認識検出警報装置であって、樹幹の右側に縦スライドレールが連結され、縦スライドレールの上下両側に可動ロッドが取り付けられ、可動ロッドの内側に位置決めロープが貫通されるとともに、可動ロッドの外側に押圧ブロックが固定され、縦スライドレールの右側に位置決めブロックが取り付けられ、縦スライドレールの内側にランプホルダが取り付けられ、ランプホルダの左側に縦ロッドが取り付けられ、縦ロッドの下端に操作レバーが設けられ、ランプ本体がランプホルダの右側に取り付けられ、ランプホルダの上端に中空柱が固定され、中空柱の下部の外側に可動リングが取り付けられ、中空柱の内側に連結ロッドが取り付けられ、中空柱の上部の内側に取付柱が設けられ、取付柱の上端に太陽光発電パネルが取り付けられ、ランプ本体の下端の右側に人物画像認識カメラが設けられ、人物画像認識カメラの左側に温度検知センサーが取り付けられ、温度検知センサーの左側に警報ブザーが設けられている。
【０００６】
好ましくは、押圧ブロックが可動ロッドの中心線に関して等角度で設けられ、可動ロッドと縦スライドレールとが旋回軸受を介して回転構造を構成し、押圧ブロックと位置決めブロックとが係合されている。
【０００７】
好ましくは、押圧ブロックと位置決めブロックとの縦断面の形状が直角台形であり、位置決めブロックと縦スライドレールとが摺動可能に連結されている。
【０００８】
好ましくは、ランプホルダと縦スライドレールとが摺動可能に連結され、ランプホルダと縦ロッドとが螺着され、縦ロッドと操作レバーに設けられたかさ歯車同士が噛合している。
【０００９】
好ましくは、中空柱と可動リングとが螺着され、可動リングと連結ロッドとが当接され、連結ロッドと中空柱とが摺動可能に連結されている。
【００１０】
従来技術と比べて、本考案は以下の有益な効果を有する。
この高さ調整が容易な試験圃場用人物画像認識検出警報装置は、取り付けが容易であり、取り付け高さ及び太陽光発電パネルの取り付け角度が調整可能である。
【図面の簡単な説明】
【００１１】
【図１】本考案の正面断面構造図である。
【図２】本考案の押圧ブロックの底面断面構造図である。
【図３】本考案の図１におけるＡ部の拡大構造図である。
【考案を実施するための形態】
【００１２】
図１〜３に示すように、本考案に係る高さ調整が容易な試験圃場用人物画像認識検出警報装置は、樹幹１、縦スライドレール２、可動ロッド３、位置決めロープ４、押圧ブロック５、位置決めブロック６、ランプホルダ７、縦ロッド８、操作レバー９、ランプ本体１０、中空柱１１、可動リング１２、連結ロッド１３、取付柱１４、太陽光発電パネル１５、人物画像認識カメラ１６、温度検知センサー１７及び警報ブザー１８を備え、樹幹１の右側に縦スライドレール２が連結され、縦スライドレール２の上下両側に可動ロッド３が取り付けられ、可動ロッド３の内側に位置決めロープ４が貫通されるとともに、可動ロッド３の外側に押圧ブロック５が固定され、縦スライドレール２の右側に位置決めブロック６が取り付けられ、縦スライドレール２の内側にランプホルダ７が取り付けられ、ランプホルダ７の左側に縦ロッド８が取り付けられ、縦ロッド８の下端に操作レバー９が設けられ、ランプ本体１０がランプホルダ７の右側に取り付けられ、ランプホルダ７の上端に中空柱１１が固定され、中空柱１１の下部の外側に可動リング１２が取り付けられ、中空柱１１の内側に連結ロッド１３が取り付けられ、中空柱１１の上部の内側に取付柱１４が設けられ、取付柱１４の上端に太陽光発電パネル１５が取り付けられ、ランプ本体１０の下端の右側に人物画像認識カメラ１６が設けられ、人物画像認識カメラ１６の左側に温度検知センサー１７が取り付けられ、温度検知センサー１７の左側に警報ブザー１８が設けられている。
【００１３】
本実施例において、押圧ブロック５が可動ロッド３の中心線に関して等角度で設けられ、可動ロッド３と縦スライドレール２とが旋回軸受を介して回転構造を構成し、押圧ブロック５と位置決めブロック６とが係合されていることにより、位置決めブロック６が押圧ブロック５を介して可動ロッド３の位置を効果的に規制することができ、可動ロッド３による位置決めロープ４の巻き取り、位置決めロープ４による縦スライドレール２と樹幹１との位置固定を実現する。
【００１４】
押圧ブロック５と位置決めブロック６との縦断面の形状が直角台形であり、位置決めブロック６と縦スライドレール２とが摺動可能に連結されていることにより、位置決めブロック６が押圧ブロック５を効果的に一方向に位置規制することができ、位置決めブロック６の斜面が押圧された後、縦スライドレール２を効果的に摺動することができる。
【００１５】
ランプホルダ７と縦スライドレール２とが摺動可能に連結され、ランプホルダ７と縦ロッド８とが螺着され、縦ロッド８と操作レバー９に設けられたかさ歯車同士が噛合していることにより、操作レバー９が縦ロッド８を介してランプホルダ７を縦スライドレールに沿って効果的に移動させることができ、ランプホルダ７におけるランプ本体１０の取り付け高さの調整を実現する。
【００１６】
中空柱１１と可動リング１２とが螺着され、可動リング１２と連結ロッド１３とが当接され、連結ロッド１３と中空柱１１とが摺動可能に連結されていることにより、可動リング１２が中空柱１１の外側で効果的に移動することができ、可動リング１２が連結ロッド１３を中空柱１１の内側で効果的に移動させることができる。
【００１７】
連結ロッド１３と取付柱１４とが密接され、取付柱１４と中空柱１１とが嵌合され、取付柱１４の下部が球状に設けられていることにより、取付柱１４が中空柱１１を効果的に移動することができ、連結ロッド１３が取付柱１４の中空柱１１における位置を固定することができ、太陽光発電パネル１５の取付位置の固定を実現する。
【００１８】
動作原理
この装置を使用する場合に、装置におけるランプ本体１０、人物画像認識カメラ１６、温度検知センサー１７及び警報ブザー１８の関連回路に電源を入れ、人物画像認識カメラ１６の型番がＥＭ２０であり、温度検知センサー１７の型番が８０ＰＫ−１である。
【００１９】
装置を取り付ける必要がある場合に、縦スライドレール２を樹幹１の外壁に当接させ、位置決めロープ４を可動ロッド３に設けられた穴に通して縦スライドレール２の周囲に１回巻回し、位置決めロープ４の他端を可動ロッド３に設けられた穴に通し、図１に示す可動ロッド３の右側に設けられた位置決めロープ４を結び付け、可動ロッド３を回転させて、可動ロッド３による位置決めロープの巻き取りを行い、可動ロッド３の回転により押圧ブロック５が位置決めブロック６の斜面を押圧し、位置決めブロック６が縦スライドレール２の外側を摺動することで、可動ロッド３により位置決めロープ４を適切な位置に巻き取り、位置決めブロック６と対応位置の押圧ブロック５との隙間位置を一致させると、位置決めブロック６及び縦スライドレール２に連結されるばねが位置決めブロック６を復帰させ、位置決めブロック６と押圧ブロック５との長直角辺が係合されることで、可動ロッド３における位置決めロープ４の位置が固定され、位置決めロープ４を樹幹１に縛り付け、樹幹１と縦スライドレール２との位置を固定することにより、装置の取り付けを実現する。
【００２０】
太陽光発電パネル１５の取付角度を調整する必要がある場合に、可動リング１２を回転させ、可動リング１２が中空柱１１の外側で下方へ移動して連結ロッド１３から離脱し、連結ロッド１３が取付柱１４から離脱し、太陽光発電パネル１５を回転させ、太陽光発電パネル１５が取付柱１４を介して中空柱１１で回転することで、太陽光発電パネル１５を太陽光を受けるのに適した角度に回転させた後、可動リング１２を復帰させ、可動リング１２が中空柱１１の外側で上方へ移動して連結ロッド１３を押圧し、連結ロッド１３が取付柱１４の下端を押圧することで、太陽光発電パネル１５の取付位置の固定を実現する。
【００２１】
ランプ本体１０の取り付け高さを調整する必要がある場合に、操作レバー９を回転させ、操作レバー９及び縦スライドレール２に連結される旋回軸受を介して操作レバー９が回転し、操作レバー９がかさ歯車を介して縦ロッド８を回転させ、縦ロッド８及び縦スライドレール２に連結される旋回軸受を介して縦ロッド８が回転し、縦ロッド８がランプホルダ７を縦スライドレール２に沿って摺動させることで、ランプホルダ７におけるランプホルダ１０を適切な高さに移動させる。
【符号の説明】
【００２２】
１  樹幹
２  縦スライドレール
３  可動ロッド
４  位置決めロープ
５  押圧ブロック
６  位置決めブロック
７  ランプホルダ
８  縦ロッド
９  操作レバー
１０  ランプ本体
１１  中空柱
１２  可動リング
１３  連結ロッド
１４  取付柱
１５  太陽光発電パネル
１６  人物画像認識カメラ
１７  温度検知センサー
１８  警報ブザー
【図１】
0003234246.tif 000003
【図２】
0003234246.tif 000004
【図３】
0003234246.tif 000005